(57)【要約】      （修正有）【課題】人体の所定の部位に密着して支持し、体型を整えるなどの効果を十分に達成できる身体補装具を提供する。【解決手段】本体１０と可撓性体２０とを含んでなり、本体は窪んで凹状を呈する部分を本体支持部１１とし、本体支持部からそれぞれ分岐して少なくとも１以上の調整空間１２となる隙間を形成する調整部１４と弾性支持部１３とを具えてなり、かつ、少なくとも一部分が弾性を有する材料によってなり、可撓性体が弾性支持部と調整部とを貫通して取付けられ、かつ弾性支持部と調整部とを連結して固定する。【選択図】図２
0003193393.tif 000002
【実用新案登録請求の範囲】
【請求項１】
窪んで凹状を呈する部分を本体支持部とし、該本体支持部からそれぞれ分岐して少なくとも１以上の調整空間となる隙間を形成する調整部と弾性支持部とを具えてなり、かつ、少なくとも一部分が弾性を有する材料によってなる本体と、
該弾性支持部と該調整部とを貫通して取付けられ、かつ該弾性支持部と該調整部とを連結して固定する可撓性体と、を含んでなることを特徴とする身体補装具。
【請求項２】
前記可撓性体の両端部に、自在に移動できる位置決め部材を取り付け、該可撓性体の動きを制限して固定することを特徴とする請求項１に記載の身体補装具。
【請求項３】
前記弾性支持部と該調整部を貫通した該可撓性体を通す複数の孔部を穿設してな
り、該弾性支持部と該調整部の連結を補強する調整座をさらに含むことを特徴とする請求項１に記載の身体補装具。
【考案の詳細な説明】
【技術分野】
【０００１】
この考案は補装具に関し、特に身体の姿勢の矯正、体型を整えるなどの目的で着用する身体補装具に関する。 
【背景技術】
【０００２】
現代社会において、人々は普遍的に運動不足だといわれている。例えば、デスクワーク、コンピュータの操作、電子ゲーム、もしくはテレビ番組の鑑賞などで長時間にわたって姿勢をほとんど変えずにいると、つい体を動かしてほぐすことを忘れる。例えば椅子にかけたり、床に座ったり、寝そべったり、もしくは何かに凭れたりする姿勢を長時間持続することは多多ある。しかし、定期的に身体を動かすことは、循環器系の活動を促し、カロリーを消費させ、健康を促進することになる。但し、仕事に集中するあまり、ゲームに熱中しすぎるあまり、もしくは個人的な慣習によって、ほとんどの人が定期的に体を動かしていない。係る状況が継続すると、体重が増加したり、臀部が緩んだりするなどといった現象が発生する。しかも長時間にわたって床に座ったり、寝そべったり、もしくは何かに凭れたりする姿勢を維持していると、姿勢が悪くなり、不正常になる。ここから、腰痛、背中の痛みなど、いわゆる文明病が引き起こされる。
【０００３】
そこで、身体の特定の部位に装着することによって、体を支え、姿勢の矯正、体型を整えるなどの効果を有する製品が開発された。係る製品は身体に密着するように設計され、かつ人間工学に適っているか否かに重きをなして設計されていて、例えば臀部など特定の部位に密着するが、但し、該特定の部位に過大な負荷がかかった場合、完全に支持することができなくなり変形する。即ち体を支え、姿勢の矯正、体型を整えるなどの効果を有する従来の製品は、身体を支持する力が弱く、このため体型を整えるなどの効果は、十分に達成できない。
【考案の概要】
【考案が解決しようとする課題】
【０００４】
この考案は、人体の所定の部位に密着して支持し、体型を整えるなどの効果を十分に達成できる身体補装具を提供することを課題とする。
【課題を解決するための手段】
【０００５】
そこで、本考案者は従来の技術に見られる欠点鑑み鋭意研究を重ねた結果、本体と
可撓性体とを含んでなり、該本体は窪んで凹状を呈する部分を本体支持部とし、該本体支持部からそれぞれ分岐して少なくとも１以上の調整空間となる隙間を形成する調整部と弾性支持部とを具えてなり、かつ少なくとも一部分が弾性を有する材料によってなりと、該可撓性体が該弾性支持部と該調整部とを貫通して取付けられ、かつ該弾性支持部と該調整部とを連結して固定する身体補装具によって課題を解決できる点に着眼し、係る知見に基づいて本考案を完成させた。
【０００６】
以下この考案について説明する。請求項１に記載する身体補装具は、窪んで凹状を呈する部分を本体支持部とし、該本体支持部からそれぞれ分岐して少なくとも１以上の調整空間となる隙間を形成する調整部と弾性支持部とを具えてなり、かつ、少なくとも一部分が弾性を有する材料によってなる本体と、
該弾性支持部と該調整部とを貫通して取付けられ、かつ該弾性支持部と該調整部とを連結して固定する可撓性体と、を含んでなる。
【０００７】
請求項２に記載する身体補装具は、請求項１における可撓性体の両端部に、自在に移動できる位置決め部材を取り付け、該可撓性体の動きを制限して固定する。
【０００８】
請求項３に記載する身体補装具は、請求項１における弾性支持部と該調整部を貫通した該可撓性体を通す複数の孔部を穿設してなり、該弾性支持部と該調整部の連結を補強する調整座をさらに含む。
【図面の簡単な説明】
【０００９】
【図１】この考案による身体補装具の外観と構成部材を示した説明図である。
【図２】図１に開示する身体補装具の斜視図である。
【図３】図１に開示する身体補装具の正面図である。
【図４】図１に開示する身体補装具の平面図である。
【図５】図１に開示する身体補装具であって、本体の大きさを調整した後の状態を示した平面図である。
【図６】この考案による身体補装具の使用態様を示した説明図である。
【図７】他の実施の形態による身体補装具外観と構成部材を示した説明図である。
【図８】図７に開示する身体補装具の斜視図である。
【図９】その他の形態による身体補装具外観と構成部材を示した説明図である。
【考案を実施するための形態】
【００１０】
この考案は、人体の所定の部位に密着して支持し、体型を整えるなどの効果を十分に達成できる身体補装具を提供するものであって、本体と可撓性体とを含んでなり、該本体は窪んで凹状を呈する部分を本体支持部とし、該本体支持部からそれぞれ分岐して少なくとも１以上の調整空間となる隙間を形成する調整部と弾性支持部とを具えてなり、かつ、少なくとも一部分が弾性を有する材料によってなり、該可撓性体が該弾性支持部と該調整部とを貫通して取付けられ、かつ該弾性支持部と該調整部とを連結して固定する。係る身体補装具の構造と特徴を説明するために、具体的な実施例を挙げ、図面を参照にして以下に詳述する。
面を参照にして以下に詳述する。
【実施例】
【００１１】
図１、図６に開示するように、この考案による身体補装具は、本体１０と、可撓性体２０とによってなり、例えば臀部など身体の特定の部位に装着して支持し、体型を整えるなどの効果を達するものである。
【００１２】
図１から図３に開示するように、本体１０は、窪んで凹状を呈する部分を本体支持部１１とし、本体支持部１１の一端から分岐して両翼を形成する部分を弾性支持部１３とするとともに、本体支持部１０から両弾性支持部１３の間を延伸する一端を調整部１４とし、かつ弾性支持部１３との間に形成される隙間を調整空間１２とする。
【００１３】
本体１０は、例えば一体成型によって製造することができ、少なくとも一部分がプラスチック材、もしくはＥＶＡ樹脂などの弾性を有する材料によってなる。
【００１４】
弾性支持部１３は弾性によって外方向、内方向、もしくは上下方向に変形して本体支持部の大きさを調整する。
【００１５】
弾性支持部１３と調整部１４には、それぞれ複数の孔部１３１、１４１を穿設する。
【００１６】
可撓性体２０は、弾性支持部１３と調整部１４とを貫通して取付け、弾性支持部１３と調整部１４とを連結して固定するとともに、大きさを調整した本体支持部１１を固定する。即ち、弾性支持部１３の孔部１３１と調整部１４の孔部１４１に可撓性体２０を通して締結に供する。
【００１７】
実施例においては、可撓性体２０は紐であって、交錯した状態で弾性支持部１３と調整部１４とを貫通することによって、連結、固定の力を増大させることができる。
【００１８】
また、この考案は、２つの位置決め部材３０を含む。実施例において位置決め部材３０はコードストッパーであって、可撓性体２０の両端部に取り付ける。該コードストッパーは押しボタンを具え、該コードストッパーに可撓性体２０を通した状態で、可撓性体２０が該コードストッパー内で圧迫されて引き出すことができなくなり、該押しボタンを押すことによって圧迫が解放されて、該コードストッパーを自在に移動させることができるようになる。但し、コードストッパーは従来の技術に属するので、ここでは詳細な説明は割愛する。
【００１９】
実施例においては、可撓性体２０によって弾性支持部１３と調整部１４とを緊締し、位置決め部材３０を本体支持部１０に近接した位置に移動させて固定することによって、可撓性体２０の動きを制限し、緩んで緊締が解除されることを防ぎ、弾性支持部１３と調整部１４とが連結される。
【００２０】
また、この考案はさらに調整座４０を含む。調整座４０には可撓性体２０を通す複数の孔部４１を穿設する。即ち、弾性支持部１３の孔部１３１と調整部１４の孔部１４１に可撓性体２０を通し、さらに調整座４０の孔部４１にも通すことによって、
弾性支持部１３と調整部１４との連結、固定をさらに強くする作用が得られる。
【００２１】
図４、５に開示するように、可撓性体２０によって弾性支持部１３と調整部１４とを連結し、固定することによって、本体支持部１１の大きさが固定される。本体支持部１１の大きさを調整する場合は、位置決め部材３０による可撓性体２０への制限を開放する。この場合、弾性支持部１３は外方向に変形する。本体支持部１１の大きさを再度調整し、可撓性体２０で緊締結して位置決め部材の位置を固定すると、可撓性体２０は緩むことなく、本体支持部１１は大きさが固定される。
【００２２】
この考案による身体補装具は、本体支持部１１の大きさを調整できるため、異なる使用者に適用することができる。
【００２３】
図６に開示するように、本体支持部１１は可撓性体２０によって効率よく固定され変形することがない。窪んで凹状を呈する本体支持部１１は。例えば臀部など身体の所定の位置に密接して身体を支持し、体型を整えるなどの効果を達成する。よって、従来の技術に見られるように身体を支持する力が弱く、このため体型を整えるなどの効果を十分に達成できないという欠点を改善することができる。
【００２４】
また、この考案においては、本体１０を被覆体５０で被覆して、好ましい外観が得られるようにしてもよい。
【００２５】
図７、図８に他の実施の形態を開示する。図面の開示によれば、可撓性体２０は平たい編み紐であって、調整座４０の孔部４１、弾性支持部１３の孔部１３１、調整部１４の孔部１４１は、可撓性体２０である該編み紐の形状に合わせて形成する。また可撓性体２０のそれぞれの端部に、例えば面ファスナーなどである係合部２１を設ける。よって、可撓性体２０の両端部は着脱自在に連結し、調整部１４と弾性支持部１３を緊締して固定させると、緩んで緊締が解除されることがない。
【００２６】
図９にその他の実施の形態を開示する。図面によれば、可撓性体２０は平たい編み紐であって、調整座４０の孔部４１、弾性支持部１３の孔部１３１、調整部１４の孔部１４１は、可撓性体２０である該編み紐の形状に合わせて形成する。また可撓性体２０の一方の端部には長さを調整するための調整環２２を設けるとともに、可撓性体２０のそれぞれの端部には、オス係合部材２３とメス係合部材２４とを設ける。よって、可撓性体２０の両端部は着脱自在に連結し、調整部１４と弾性支持部１３を緊締して係合させると、緩んで緊締が解除されることがない。
【符号の説明】
【００２７】
１０          本体
１１          本体支持部
１２          調整空間
１３          弾性支持部
１３１        孔部
１４          調整部
１４１        孔部
２０          可撓性体
２１          係合部
２２          調整環
２３          オス係合部材
２４          メス係合部材
３０          位置決め部材
４０          調整座
５０          被覆体
【図１】
0003193393.tif 000003
【図２】
0003193393.tif 000004
【図３】
0003193393.tif 000005
【図４】
0003193393.tif 000006
【図５】
0003193393.tif 000007
【図６】
0003193393.tif 000008
【図７】
0003193393.tif 000009
【図８】
0003193393.tif 000010
【図９】
0003193393.tif 000011